(57)【特許請求の範囲】
【請求項１】
建物の床下に設置される合流ますであって、
２つの側面部を含む側壁を備えるます本体、
前記２つの側面部にそれぞれ形成される流入口を含み、前記下流側に向けて排水を流入させる２つの斜め流入管部、
前記ます本体の底面に形成され、前記２つの斜め流入管部から前記ます本体内に流入した排水を下方向に流出させる１つの流出管部、および
前記２つの斜め流入管部の前記流入口より前記下流側において当該２つの斜め流入管部の間の前記側壁によって形成される越流防止部を備え、
前記側壁はさらに前記２つの側面部より下流側に形成される背面部および前記背面部と前記２つの側面部とをそれぞれ連結する連結部を含み、前記越流防止部は、前記背面部の内面に形成され、前記２つの斜め流入管部からそれぞれ流入した排水が衝突する衝突平面を備える、合流ます。
【請求項２】
前記側壁は、前記背面部が前記流入口より下流側に突出して設けられた突出部を形成し、前記突出部が突出空間を形成する、請求項１記載の合流ます。
【請求項３】
前記背面部の反対側の前記２つの斜め流入管部の間の前記側壁に設けられる中央流入口をさらに備え、前記衝突平面は前記中央流入口から流入した排水の流下方向と直交する、請求項１または２記載の合流ます。
【請求項４】
前記２つの側面部は前記流下方向に沿う内面を有し、連結部は前記背面部と前記２つの側面部とをそれぞれ連結する湾曲内面を有する、請求項３記載の合流ます。
【発明の詳細な説明】
【技術分野】
【０００１】
この発明は合流ますに関し、特にたとえば、建物の床下に設置される、合流ますに関する。
【背景技術】
【０００２】
従来のこの種の合流ますの一例が非特許文献１に開示される。非特許文献１の合流ます１は、図１６に示すように、ます本体２、３つの流入管部３ａ，３ｂ、および流出管部４を備えるいわゆる４５°ＷＹタイプの合流ますである。３つの流入管部３ａ，３ｂは、ます本体２の側壁５に対して直交する１つの中央流入管部３ａと、中央流入管部３ａの両側に設けられ、中央流入管部３ａと４５°の角度をなす２つの斜め流入管部３ｂとを含む。非特許文献１の合流ます１では、各流入口が正面から向かい合わないようにされることにより、他の流入管部３ａ，３ｂへの排水の越流が低減される。
【０００３】
一方、特許文献１には、ます本体内に仕切体を設けた合流ますが開示される。特許文献１の合流ますでは、ます本体の内部に、各流入口の間を区画する仕切板を有する仕切体が設けられる。仕切体は、ます本体内において、一方の流入口から他方の流入口への排水の越流を防止する。
【先行技術文献】
【特許文献】
【０００４】
【特許文献１】特許第４８９５８９２号
【非特許文献】
【０００５】
【非特許文献１】クボタシーアイ株式会社カタログ  Ｎｏ.Ｃ００−  １４．３.１３ＪＮ．ＮＰ  「下水道用総合カタログ」  Ｐ.２−４１
【発明の概要】
【発明が解決しようとする課題】
【０００６】
しかしながら、非特許文献１の合流ます１では、ます本体２の側壁５が略円形状に形成されているので、一方の斜め流入管部３ｂから勢いのある排水が流入した場合、その排水がます本体２の側壁５の内面沿いに回り込んで、もう一方の斜め流入管部３ｂに越流してしまう。
【０００７】
また、特許文献１の合流ますでは、ます本体の内部に仕切体を設けるので、ます本体内の流路が狭くなる。このため、ます本体内に固形物が塊となって流入してきた場合、仕切体とます本体との間に固形物が引っ掛かり、合流ます延いては排水管が詰まる可能性がある。
【０００８】
それゆえに、この発明の主たる目的は、新規な、合流ますを提供することである。
【０００９】
この発明の他の目的は、仕切体を設けることなく他の流入管部への越流を適切に防止できる、合流ますを提供することである。
【課題を解決するための手段】
【００１０】
第１の発明は、建物の床下に設置される合流ますであって、２つの側面部を含む側壁を備えるます本体、２つの側面部にそれぞれ形成される流入口を含み、下流側に向けて排水を流入させる２つの斜め流入管部、ます本体の底面に形成され、２つの斜め流入管部からます本体内に流入した排水を下方向に流出させる１つの流出管部、および２つの斜め流入管部の流入口より下流側において当該２つの斜め流入管部の間の側壁によって形成される越流防止部を備え、側壁はさらに２つの側面部より下流側に形成される背面部および背面部と２つの側面部とをそれぞれ連結する連結部を含み、越流防止部は、背面部の内面に形成され、２つの斜め流入管部からそれぞれ流入した排水が衝突する衝突平面を備える、合流ますである。
【００１１】
第１の発明では、合流ます（１０）は、建物の床下に設置され、ます本体（１２）は２つの側面部を含む側壁を備える。２つの側面部にはそれぞれ斜め流入管部（３０）が設けられる。つまり、２つの斜め流入管部（３０）は、２つの側面部にそれぞれ形成される流入口を含み、下流側に向けて排水を流入させる。さらに、ます本体の底面に形成され、２つの斜め流入管部からます本体内に流入した排水を下方向に流出させる１つの流出管部（２４）、および２つの斜め流入管部の流入口より下流側において当該２つの斜め流入管部の間の側壁によって形成される越流防止部（３２）を備える。側壁はさらに２つの側面部より下流側に形成される背面部（４８）および背面部と２つの側面部とをそれぞれ連結する連結部（５０、５０ａ、５０ｂ）を含み、越流防止部は、背面部の内面に形成され、２つの斜め流入管部からそれぞれ流入した排水が衝突する衝突平面を備える。衝突平面（３４）は、一方の斜め流入管部からます本体内に勢いのある排水が流入したときに、他方の斜め流入管部へと向かう排水の流速を低減させたり、排水の流れ方向を別の方向へと変更したりすることによって、排水の越流を防止する。
【００１２】
第１の発明によれば、衝突平面を有する越流防止部を形成したので、一方の斜め流入管部から他方の斜め流入管部への排水の越流が適切に防止され、排水は流出管部からスムーズに排出される。つまり、斜め入管部からます本体内に勢いのある排水が流入したときには、排水は、その衝突平面に衝突して、流速が低下する。これにより、横方向に回り込む水の勢いが低減されて、排水の越流が防止される。また、ます本体内に仕切体を設けないので、ます本体内に広い流路を確保できる。
【００１３】
第２の発明は、第１の発明に従属し、側壁は、背面部が流入口より下流側に突出して設けられた突出部を形成し、突出部が突出空間を形成する、合流ますである。
【００１４】
第２の発明では、ます本体の側壁が突出部を形成し、突出部が突出空間を形成するので、斜め流入管部からます本体内に勢いのある排水が流入したときには、排水の一部は、越流防止部に設けられたこの突出空間に一時的に滞留する。これによって、流出方向への排水負荷が下がる。つまり、流出管部内へと排水が一度に流入しないので、流出管部が閉塞することなく、排水がスムーズに流れる。したがって、排水性能が向上する。
【００１５】
第２の発明によれば、一方の斜め流入管部から他方の斜め流入管部への排水の越流が適切に防止される。
【００１６】
第３の発明は、第１の発明または第２の発明に従属し、背面部の反対側の２つの斜め流入管部の間の側壁に設けられる中央流入口をさらに備え、衝突平面は中央流入口から流入した排水の流下方向と直交する、合流ますである。
【００１９】
第４の発明は、第３の発明に従属し、２つの側面部は流下方向に沿う内面を有し、連結部は背面部と２つの側面部とをそれぞれ連結する湾曲内面を有する、合流ますである。
【００２０】
第４の発明では、背面部と湾曲内面を有する連結部によって越流防止部は、角丸の略矩形状に形成されるので、衝突平面に衝突することによって、流速が低下した排水は、角丸の略矩形状に形成される越流防止部の内側面沿いに流れ、その過程で横方向に回り込む勢いがさらに低減される。つまり、越流がより適切に防止される。
【００２１】
第４の発明によれば、越流がさらに適切に防止され、これにより、排水性能がさらに向上する。
【発明の効果】
【００２８】
この発明によれば、ます本体の側壁に越流防止部を設けたので、一方の斜め流入管部から他方の斜め流入管部への排水の越流が適切に防止され、排水は流出管部からスムーズに排出される。また、ます本体内に仕切体を設けないので、ます本体内に広い流路を確保できる。
【００２９】
この発明の上述の目的、その他の目的、特徴および利点は、図面を参照して行う後述の実施例の詳細な説明から一層明らかとなろう。
【図面の簡単な説明】
【００３０】
【図１】この発明の一実施例の合流ますによって排水主管と排水枝管とを接続した状態を示す断面図である。
【図２】図１の合流ますを示す側面図である。
【図３】図１の合流ますを示す平面図である。
【図４】図３のIV−IV線における合流ますを示す断面図である。
【図５】図１の合流ますから蓋を取り外した様子を示す側面図である。
【図６】図５の合流ますを示す平面図である。
【図７】図６のVII−VII線における合流ますの断面を示す断面図である。
【図８】図５のVIII−VIII線における合流ますの断面を示す断面図である。
【図９】図８の合流ますにおける位置・範囲を説明するための図解図である。
【図１０】図１の合流ますが備える蓋を示す側面図である。
【図１１】合流ますの他の実施例を示す断面図である。
【図１２】合流ますのさらに他の実施例を示す断面図である。
【図１３】合流ますのさらに他の実施例を示す断面図である。
【図１４】合流ますのさらに他の実施例を示す断面図である。
【図１５】合流ますのさらに他の実施例を示す断面図である。
【図１６】従来の合流ますの一例を示す断面図である。
【発明を実施するための形態】
【００３１】
図１を参照して、この発明の一実施例である合流ます１０は、戸建住宅などの床下１１０に設置されて、トイレや風呂などの住設機器から排出された汚水や雑排水などの排水を流す複数の排水枝管１２０と、排水を外部に排出する排水主管１１６とを繋ぐ。図１−図４に示すように、合流ます１０は、ます本体１２および蓋１４を含み、塩化ビニル等の合成樹脂によって形成される。合流ます１０は、ます本体１２の側方（横方向）から流入した排水をます本体１２の下方へ排出する、いわゆるドロップますである。
【００３２】
図５−図８に示すように、ます本体１２は、射出成形などによって形成され、側壁１６および越流防止部３２を含む。
【００３３】
側壁１６は、略円筒状に形成され、側壁１６の上部には、上端開口部１８が形成される。上端開口部１８の内径はたとえば１５０ｍｍに設定される。上端開口部１８には、外側に向かって突出する係合部２０が設けられ、後述する蓋１４が着脱自在に接続される。蓋１４を取り外した際には、上端開口部１８は点検口として利用される。
【００３４】
ます本体１２の側壁１６には、中央流入管部２６が横方向に突出するように設けられる。中央流入管部２６は、受口構造を有する円筒形状に形成され、その内径はたとえば８３ｍｍである。また、中央流入管部２６の外面端部には、係止溝２８が設けられる。なお、以下の説明では、中央流入管部２６の設けられた方向が、合流ます１０の正面（前方）側であるとして説明する。
【００３５】
中央流入管部２８の両側には、斜め前方に向かって突出する２つの斜め流入管部３０が設けられる。この２つの斜め流入管部３０が、互いの管軸が１８０度未満で交わる、ます本体１２横方向から排水を流入させる２つの流入管部に相当する。斜め流入管部３０は、受口構造を有する円筒形状に形成され、その内径はたとえば８３ｍｍである。また、斜め流入管部３０の外面端部には、係止溝２８が設けられる。この実施例では、２つの斜め流入管部３０の管軸は互いに略９０°の角度で交わるようにされ、各斜め流入管部３０の管軸は中央流入管部２６の管軸に対して略４５°の角度で交わる。つまり、２つの斜め流入管部３０は、互いの流入口３０ａ（ます本体１２と斜め流入管部３０との接続部における開口）が正面から向かい合わないようにされる。これにより、一方の斜め流入管部３０から他の斜め流入管部３０の内部へと排水が直接向かうことが防止される。
【００３６】
側壁１６の背面側、つまり、斜め流入管部３０からの排水の流入方向下流側における２つの斜め流入管部３０の間には、側壁１６と一体に成形される越流防止部３２が設けられる。
【００３７】
越流防止部３２は、背面部４８、連結部５０、および上面部５２を含み、平面視において角丸の略矩形状に形成される。越流防止部３２の内側面を非円弧状に形成することによって、越流防止部３２内を横方向に回り込む水の勢いは低減される。このような越流防止部３２と側壁１６とによって、ます本体１２は平面視略馬蹄形の形状とされる。具体的には、背面部４８は、平板状に形成され、ます本体１２の背面位置に設けられる。背面部４８の内側面は、斜め流入管部３０の流入方向下流側において平面状に形成され、各斜め流入管部３０からの排水が衝突する衝突平面３４となる。斜め流入管部３０からます本体１２内に勢いのある排水が流入したときには、排水は、この衝突平面３４に衝突して、流速が低下する。連結部５０は、背面部４８の両端縁から屈曲して前方に向かって延びる平板状に形成され、背面部４８と側壁１６とを連結する。連結部５０、つまり越流防止部３２の斜め流入管部３０との境界付近の部分の内側面は、前方に向かって真っ直ぐ延びるように形成され、斜め流入管部３０の内部には向かわないようにされる。これにより、一方の斜め流入管部３０からます本体１２内に勢いのある排水が流入したときでも、排水の流れ方向は、他の斜め流入管部３０に向かう方向とは別の方向に変えられる。或いは、他の斜め流入管部３０に向かう排水の勢いが低減される。上面部５２は、平板状に形成され、背面部４８および連結部５０の上方を覆うように設けられる。
【００３８】
また、越流防止部３２は、側壁１６の後端１６ａよりも外方（後方）に突出する突出部３６を有する。突出部３６の突出長さ、つまり側壁１６の後端１６ａから背面部４８までの距離は、たとえば５０ｍｍである。突出部３６の内部には、突出空間が形成される。斜め流入管部３０からます本体１２内に勢いのある排水が流入したときには、排水の一部は、越流防止部３２に設けられた突出部３６内（突出空間）に一時的に滞留する。これによって、流出方向への排水負荷が下がる。つまり、流出管部２４内へと排水が一度に流入しないので、流出管部２４が閉塞することなく、排水がスムーズに流れる。
【００３９】
ここで、図９を参照して、ます本体１２から斜め流入管部３０の一方が突出する境界線のうち最も越流防止部３２側となる頂点位置ａは、他方の斜め流入管部３０の管壁をます本体１２方向に延長した延長線がます本体１２と交わる位置よりも越流防止部３２の反対側にくるようにされる。つまり、一方の斜め流入管部３０とます本体１２との境界線のうち越流防止部３２と最も接近する頂点位置ａを、他方の斜め流入管部３０の管路をます本体１２内にそのまま直線的に延長したと仮定した場合に、その延長した管路の範囲ｘよりも越流防止部３２の反対側にずらすようにすることで、範囲ｘ内にもう一方の斜め流入管部３０の流入口３０ａが入らないようにされる。これにより、一方の斜め流入管部３０からの排水が、他の斜め流入管部３０の内部へと直接向かうことが防止される。なお、斜め流入管部３０が４５°エルボ等の曲がり管１２０ａに接続されるような場合には、排水の流れにねじれが発生し、ます本体１２内へ流入する際に流入口３０ａよりも横方向に大きく広がる可能性がある。そこで、このような場合には、他方の斜め流入管部３０とます本体１２との境界線のうち最も越流防止部３２と反対側にある頂点位置ｂと位置ａとを結ぶ線と、範囲ｘの越流防止部３２と反対側の外縁をなす線との間の角度ｃを、たとえば８．８°に設定するとよい。これにより、排水がねじれて横方向に広がった場合でも、一方の斜め流入管部３０からの排水が、他の斜め流入管部３０の内部へと直接向かうことが防止される。また、位置ａと位置ｂとの間の距離ｄは、たとえば１８５ｍｍに設定するとよい。本願発明者の実験によると、６Ｌ以下の節水型トイレと繋がる４５°エルボ等の曲がり管１２０ａに斜め流入管部３０が接続される場合、距離ｄを１８５ｍｍ以上に設定すれば、一方の斜め流入管部３０の流入口３０ａからもう他方の斜め流入管部３０の流入口３０ａまで排水が届かないことが確認された。
【００４０】
図５−図８に戻って、側壁１６および越流防止部３２の下部には、テーパ状の底壁部２２が形成され、底壁部２２の上面、すなわちます本体１２の底面は中心方向に向かう下り勾配となる。側壁１６の上端から底壁部２２の下端までの高さ（つまり、基礎１１４から出るます本体１２の高さ）は、たとえば１５０ｍｍに設定される。底壁部２２の中心部分の下側には、鉛直方向に延びる円筒形状の流出管部２４が形成される。流出管部２４の外径は、排水主管１１６の内径と同じ或いはほぼ同じであって、たとえば１０６ｍｍである。流出管部２４の高さは、たとえば４０ｍｍに設定される。
【００４１】
ます本体１２の上部には、蓋１４が着脱自在に設けられる。図１０に示すように、蓋１４は、射出成形などによって形成され、有頂円筒状の内筒部３８を備える。内筒部３８の外面には、下向きに開口するキャップ状に形成される鍔部４０が設けられ、この鍔部４０の下面がます本体１２の上端開口部１８と当接する。鍔部４０の下面から内筒部３８の上面までの高さは、たとえば４０ｍｍである。
【００４２】
また、鍔部４０の下面には、円筒形状の外筒部４４が形成される。外筒部４４の外面は、ます本体１２の側壁１６の内面に沿い（図４参照）、外筒部４４の外面に装着されるＯリング４６によって、ます本体１２の側壁１６と外筒部４４の外面との間の気密性および水密性が保たれる。また、キャップ状の鍔部４０の内側面下部には、４つの受部（図示せず）が内側に向けて突出するように形成される。受部は、鍔部４０と一体となって「コ」字状の断面形状を有し、ます本体１２の係合部２０と嵌り合う。ます本体１２の上端開口部１８に蓋１４の外筒部４４を挿入し、受部の側方からます本体１２の係合部２０を回し込むように、受部に係合部２０を挿入することによって、ます本体１２に蓋１４が取り付けられる。
【００４３】
このような合流ます１０は、上述したように建物の床下１１０に設置される。具体的には、図１に示すように、基礎壁１１２近くの基礎１１４上に合流ます１０を配管する。合流ます１０を配管する際には、基礎１１４を貫通する排水主管１１６の端部に９０°エルボ等の曲がり継手１１８の一方端を接続し、その曲がり継手１１８の他端に流出管部２４を接着接合等することによって、合流ます１０と排水主管１１６とを接続する。排水主管１１６は、基礎１１４を貫通して下水管（図示せず）などに繋がる管であって、合成樹脂などで形成される直管または可とう性を有する管などが用いられる。
【００４４】
また、中央流入管部２６および斜め流入管部３０には、接着接合等によって排水枝管１２０をそれぞれ接続する。排水枝管１２０は、トイレや風呂などの住設機器（図示せず）と繋がる管であって、合成樹脂などで形成される直管または可とう性を有する管などが用いられる。この実施例では、合流ます１０は１つの中央流入管部２６と２つの斜め流入管部３０とを有するので、合流ます１０には３つの排水枝管１２０が接続される。なお、たとえば、２つの斜め流入管部３０に排水枝管１２０をそれぞれ接続し、中央流入管部２６には排水枝管１２０を接続しないような場合には、係止溝２８を利用して中央流入管部２６にキャップ（図示せず）が取り付けられ、排水の外部への流出が防止される。
【００４５】
このように合流ます１０を設置すると、住設機器から排出された排水は、排水枝管１２０を通過し、各流入管部２６，３０からます本体１２内に流入する。比較的少量の排水がます本体１２内に流入した場合には、排水は自重によって流れ方向を下向きに変え、流出管部２４からスムーズに流出し、排水主管１１６を介して下水管等へ排出される。一方、一度に多量の排水がます本体１２内に流入した場合には、排水は下方向に流れて流出管部２４から流出すると共に、横方向にも流れる。横方向に流れる排水は、排水の流入方向下流側に設けられる越流防止部３２へと向かう。このとき、２つの斜め流入管部３０は、互いの管軸が略９０°の角度で交わるようにすることで、互いの流入口３０ａが正面から向かい合わないようにされると共に、位置ａと範囲ｘとを所定寸法ずらすことで、範囲ｘ内に他の斜め流入管部３０の流入口３０ａが入らないようにされている。このため、横方向に流れる排水は、他の斜め流入管部３０の内部へと直接向かうことが防止される。それから、越流防止部３２へと流れ込んだ排水は、流入口３０ａと対向する位置に設けられる衝突平面３４に衝突することによって、流速が低下する。流速が低下した排水は、角丸の略矩形状に形成される越流防止部３２の内側面沿いに流れ、その過程で横方向に回り込む勢いがさらに低減される。そしてそのまま、排水は、前方に向かって真っ直ぐ延びる連結部５０の内側面に沿って、ます本体１２内を縦方向に流れて行く。以上のようにして、一方の斜め流入管部３０から他の斜め流入管部３０の内部へと向かう排水の勢いが低減され、越流が防止される。この間、ます本体１２内を横方向に流れる排水の一部は、越流防止部３２内すなわち突出部３６内（突出空間）に一時的に留められることになる。突出空間に一時的に滞留した排水は、重力によってその流れ方向を下向きに変え、先の排水とは時間差をつけて流出管部２４から排出される。言い換えると、一度に多量の排水がます本体１２に流入した場合には、各流入管部２６，３０から下方向に直接向かう通路だけでなく、各流入管部２６，３０から突出部３６を経由して下方向に向かう通路を利用して、排水を排出することができる。したがって、流出管部２４内へと排水が一度に流入しないので、流出管部２４が閉塞することなく、ます本体１２内での満管状態の発生を防止できる。
【００４６】
したがって、この実施例によれば、ます本体１２の側壁１６に越流防止部３２を設けたので、一方の斜め流入管部３０から他の斜め流入管部３０への排水の越流が適切に防止され、排水は流出管部２４からスムーズに排出される。また、ます本体１２内に仕切体を設けないので、ます本体１２内に広い流路を確保できる。
【００４７】
また、連結部５０、つまり越流防止部３２のうち、斜め流入管部３０との境界付近の部分の内側面が、斜め流入管部３０の内部へと向かわないようにしたので、一方の斜め流入管部３０からます本体１２内に勢いのある排水が流入したときでも、越流防止部３２の内側面によって、排水の流れ方向は、他の斜め流入管部３０に向かう方向とは別の方向に変えられる。或いは、他の斜め流入管部３０に向かう排水の勢いが低減される。したがって、一方の斜め流入管部３０から他の斜め流入管部３０への排水の越流が適切に防止される。
【００４８】
さらに、越流防止部３２の内側面を略矩形状に形成した、つまり非円弧状に形成したので、横方向に回り込む水の勢いが低減され、排水の越流がより適切に防止される。
【００４９】
さらにまた、越流防止部３２に突出部３６を設けたので、斜め流入管部３０からます本体１２内に勢いのある排水が流入したときには、排水の一部は、突出部３６内（突出空間）に一時的に滞留する。これによって、流出方向への排水負荷が下がる。つまり、流出管部２４内へと排水が一度に流入しないので、流出管部２４が閉塞することなく、排水がスムーズに流れる。したがって、排水性能がさらに向上する。
【００５０】
また、流入口３０ａと対向する位置の越流防止部３２に、排水が衝突する衝突平面３４を形成したので、斜め流入管部３０からます本体１２内に勢いのある排水が流入したときには、排水は、越流防止部３２に形成される衝突平面３４に衝突して、流速が低下する。これにより、横方向に回り込む水の勢いが低減され、排水の越流が防止される。
【００５１】
さらに、ます本体１２と斜め流入管部３０との境界線のうち最も越流防止部３２側、つまり突出方向の反対側となる頂点位置ａが、他方の斜め流入管部３０の管壁を延長した延長線とます本体１２とが交わる位置よりも越流防止部３２の反対側にくるようにした。つまり、他方の斜め流入管部３０の管路をます本体内にそのまま直線的に延長したと仮定した場合に、その延長した管路の範囲ｘ内にもう一方の斜め流入管部３０の流入口３０ａが入らないようにした。これにより、一方の斜め流入管部３０からの排水が他方の斜め流入管部３０の内部へと直接向かうことが防止され、排水の越流をより適切に防止できる。
【００５２】
さらにまた、ます本体１２内に仕切体を設けないので、仕切体によって区画された部位における排水の通路を確保して満管状態を防止するために、ます本体１２の管径を大きくとる必要がなく、合流ます１０を小型化できる。
【００５３】
なお、上述の実施例では、越流防止部３２の一例として、略矩形字状の越流防止部３２を示したが、越流防止部３２の形状はこれに限定されない。越流防止部３２の形状としては、略五角形状、略三角形状、略台形状、略円弧状形など、様々なものが考えられる。
【００５４】
図１１には、合流ます１０の他の実施例を示す。図１１に示す合流ます１０は、越流防止部３２を平面視略五角形状に形成した点が、上述の合流ます１０と異なる。それ以外の構成については同様であるので、重複する部分については、同じ参照番号を用い、その説明を省略あるいは簡略化する。
【００５５】
図１１に示す実施例では、ます本体１２は、射出成形などによって形成され、側壁１６および越流防止部３２を含む。
【００５６】
側壁１６は、略円筒状に形成され、側壁１６の上部には、上端開口部１８が形成される。上端開口部１８には、蓋１４が着脱自在に接続される。
【００５７】
ます本体１２の側壁１６には、受口構造を有する円筒形状の中央流入管部２６が横方向に突出するように設けられる。中央流入管部２６の内径はたとえば９０ｍｍである。また、中央流入管部２６の外面端部には、係止溝２８が設けられる。
【００５８】
中央流入管部２８の両側には、受口構造を有する円筒形状の２つの斜め流入管部３０が斜め前方に向かって突出するように設けられる。斜め流入管部３０の内径はたとえば９０ｍｍである。また、斜め流入管部３０の外面端部には、係止溝２８が設けられる。２つの斜め流入管部３０の管軸は互いに略９０°の角度で交わるようにされ、各斜め流入管部３０の管軸は中央流入管部２６の管軸に対して略４５°の角度で交わる。つまり、２つの斜め流入管部３０は、互いの流入口３０ａが正面から向かい合わないようにされる。これにより、一方の斜め流入管部３０から他の斜め流入管部３０の内部へと排水が直接向かうことが防止される。
【００５９】
側壁１６の背面側、つまり、斜め流入管部３０からの排水の流入方向下流側における２つの斜め流入管部３０の間には、側壁１６と一体に成形される越流防止部３２が設けられる。
【００６０】
越流防止部３２は、背面部４８、連結部５０、および上面部５２を含み、平面視において略五角形状に形成される。越流防止部３２の内側面を非円弧状に形成することによって、越流防止部３２内を横方向に回り込む水の勢いは低減される。このような越流防止部３２と側壁１６とによって、ます本体１２は平面視略砲弾状の形状とされる。具体的には、背面部４８は、その幅方向中央部分が略９０°の角度で屈曲する板状に形成され、ます本体１２の背面位置に設けられる。屈曲部分を挟む背面部４８の両端部の内側面は、斜め流入管部３０の流入方向下流側において平面状に形成され、各斜め流入管部３０からの排水が衝突する衝突平面３４となる。この実施例では、衝突平面３４は、各斜め流入管部３０からの排水の流入方向に対して垂直に交わるように設けられる。斜め流入管部３０からます本体１２内に勢いのある排水が流入したときには、排水は、この衝突平面３４に垂直に衝突して、流速が大幅に低下する。連結部５０は、背面部４８の両端縁から屈曲して前方に向かって延びる平板状に形成され、背面部４８と側壁１６とを連結する。連結部５０、つまり越流防止部３２の斜め流入管部３０との境界付近の部分の内側面は、前方に向かって真っ直ぐ延びるように形成され、斜め流入管部３０の内部には向かわないようにされる。これにより、一方の斜め流入管部３０からます本体１２内に勢いのある排水が流入したときでも、排水の流れ方向は、他の斜め流入管部３０に向かう方向とは別の方向に変えられる。或いは、他の斜め流入管部３０に向かう排水の勢いが低減される。上面部５２は、平板状に形成され、背面部４８および連結部５０の上方を覆うように設けられる。
【００６１】
また、越流防止部３２は、側壁１６の後端１６ａよりも外方（後方）に突出する突出部３６を有する。突出部３６の突出長さ、つまり側壁１６の後端１６ａから背面部４８の後端４８ａまでの距離は、たとえば６０ｍｍである。突出部３６の内部には、突出空間が形成され、斜め流入管部３０からます本体１２内に勢いのある排水が流入したときには、排水の一部は、越流防止部３２に設けられた突出部３６内（突出空間）に一時的に滞留する。これによって、流出管部２４内へと排水が一度に流入することが防止され、流出管部２４が閉塞することなく、排水がスムーズに流れる。
【００６２】
なお、一方の斜め流入管部３０と、他の斜め流入管部３０との流入口３０ａをずらす所定寸法については、図９を参照して説明した上述の実施例と同様に規定される。
【００６３】
このような合流ます１０では、一度に多量の排水がます本体１２内に流入した場合には、排水は下方向に流れて流出管部２４から流出すると共に、横方向にも流れる。横方向に流れる排水は、排水の流入方向下流側に設けられる越流防止部３２へと向かう。このとき、一方の斜め流入管部３０と、他の斜め流入管部３０との流入口３０ａは所定寸法ずらすようにされているので、横方向に流れる排水は、他の斜め流入管部３０の内部へと直接向かうことが防止される。それから、越流防止部３２へと流れ込んだ排水は、流入口３０ａと対向する位置において、流入方向に対して垂直に交わるように設けられる衝突平面３４に垂直に衝突し、流速が大幅に低下する。流速が低下した排水は、略五角形状に形成される越流防止部３２の内側面沿いに流れ、その過程で横方向に回り込む勢いがさらに低減される。そしてそのまま、排水は、前方に向かって真っ直ぐ延びる連結部５０の内側面に沿って、ます本体１２内を縦方向に流れて行く。以上のようにして、他の斜め流入管部３０の内部へと向かう排水の勢いが低減され、越流が防止される。この間、ます本体１２内を横方向に流れる排水の一部は、越流防止部３２内すなわち突出部３６内（突出空間）に一時的に留められ、先の排水とは時間差をつけて流出管部２４から排出される。したがって、流出管部２４内へと排水が一度に流入しないので、流出管部２４が閉塞することなく、ます本体１２内での満管状態の発生を防止できる。
【００６４】
図１１に示す実施例においても、上述の各実施例と同様に、ます本体１２の側壁１６に越流防止部３２を設けたので、一方の斜め流入管部３０から他の斜め流入管部３０への排水の越流が適切に防止され、排水は流出管部２４からスムーズに排出される。また、ます本体１２内に仕切体を設けないので、ます本体１２内に広い流路を確保できる。
【００６５】
また、他方の斜め流入管部３０の管路をます本体内にそのまま直線的に延長したと仮定した場合に、その延長した管路の範囲ｘ内にもう一方の斜め流入管部３０の流入口３０ａが入らないように所定寸法ずらすようにしたので、一方の斜め流入管部３０からの排水が他方の斜め流入管部３０の内部へと直接向かうことが防止され、排水の越流をより適切に防止できる。
【００６６】
さらに、図１１に示す実施例では、流入口３０ａと対向する位置の越流防止部３２に、各斜め流入管部３０からの排水の流入方向に対して垂直に交わるように衝突平面３４を形成したので、流出管部２４からます本体１２内に勢いのある排水が流入したときには、排水は、越流防止部３２に形成される衝突平面３４に垂直に衝突して、流速が大幅に低下する。これにより、横方向に回り込む水の勢いが低減され、排水の越流がより適切に防止される。
【００６７】
なお、上述の各実施例では、越流防止部３２と側壁１６との間に連結部５０を設けるようにしたが、連結部５０はなくてもよい。たとえば、図１２に示すように、背面部４８と側壁１６とを直接連結させるようにしてもよい。
【００６８】
図１２に示す実施例では、越流防止部３２は、背面部４８および上面部５２を含み、平面視において略三角形状に形成される。越流防止部３２の内側面を非円弧状に形成することによって、越流防止部３２内を横方向に回り込む排水の勢いが低減される。このような越流防止部３２と側壁１６とによって、ます本体１２は平面視略砲弾状の形状とされる。具体的には、背面部４８は、略９０°の角度で屈曲する板状に形成され、ます本体１２の背面位置に設けられる。屈曲部分を挟む背面部４８の両端部の内側面は、斜め流入管部３０の流入方向下流側において平面状に形成され、各斜め流入管部３０からの排水が衝突する衝突平面３４となる。衝突平面３４は、各斜め流入管部３０からの排水の流入方向に対して垂直に交わるように設けられる。斜め流入管部３０からます本体１２内に勢いのある排水が流入したときには、排水は、衝突平面３４に垂直に衝突して、流速が大幅に低下する。背面部４８の両端縁は、側壁１６と直接連結され、その内側面は、各斜め流入管部３０の内部に真っ直ぐ向かうように形成される。上面部５２は、平板状に形成され、背面部４８の上方を覆うように設けられる。
【００６９】
また、越流防止部３２は、側壁１６の後端１６ａよりも外方（後方）に突出する突出部３６を有する。突出部３６の突出長さ、つまり側壁１６の後端１６ａから背面部４８の後端４８ａまでの距離は、たとえば５５ｍｍである。
【００７０】
なお、一方の斜め流入管部３０と、他の斜め流入管部３０との流入口３０ａをずらす所定寸法については、図９を参照して説明した上述の実施例と同様に規定される。
【００７１】
図１２に示す実施例においても、上述の各実施例と同様に、ます本体１２の側壁１６に越流防止部３２を設けたので、一方の斜め流入管部３０から他の斜め流入管部３０への排水の越流が適切に防止され、排水は流出管部２４からスムーズに排出される。
【００７２】
また、他方の斜め流入管部３０の管路をます本体内にそのまま直線的に延長したと仮定した場合に、その延長した管路の範囲ｘ内にもう一方の斜め流入管部３０の流入口３０ａが入らないように所定寸法ずらすようにしたので、一方の斜め流入管部３０からの排水が他方の斜め流入管部３０の内部へと直接向かうことが防止され、排水の越流をより適切に防止できる。
【００７３】
さらに、図１１に示す実施例では、流入口３０ａと対向する位置の越流防止部３２に、各斜め流入管部３０からの排水の流入方向に対して垂直に交わるように衝突平面３４を形成したので、流出管部２４からます本体１２内に勢いのある排水が流入したときには、排水は、越流防止部３２に形成される衝突平面３４に垂直に衝突して、流速が大幅に低下する。これにより、横方向に回り込む水の勢いが低減され、排水の越流がより適切に防止される。
【００７４】
以上のような越流防止部３２を設けることにより、背面部４８の両端縁、つまり斜め流入管部３０との境界付近の部分の越流防止部３２の内側面が、斜め流入管部３０の内部に向かうようにされる場合でも、越流は適切に防止される。
【００７５】
続いて、図１３には、合流ます１０のさらに他の実施例を示す。
【００７６】
図１３に示す実施例では、越流防止部３２は、背面部４８、第１連結部５０ａ、第２連結部ｂ、および上面部５２を含み、平面視略台形状に形成される。越流防止部３２の内側面を非円弧状に形成することによって、越流防止部３２内を横方向に回り込む排水の勢いが低減される。具体的には、背面部４８は、平板状に形成され、ます本体１２の背面位置に設けられる。背面部４８の幅方向の長さは、側壁１６の内径よりもやや小さく設定される。背面部４８の内側面は、斜め流入管部３０の流入方向下流側において平面状に形成され、各斜め流入管部３０からの排水が衝突する衝突平面３４となる。斜め流入管部３０からます本体１２内に勢いのある排水が流入したときには、排水は、この衝突平面３４に衝突して、流速が低下する。第１連結部５０ａは、背面部４８の両端縁から屈曲して前方に向かってやや外側に傾斜して延びる平板状に形成される。第１連結部の内側面は、斜め流入管部３０の内部には向かわないようにされる。これによって、一方の斜め流入管部３０からます本体１２内に勢いのある排水が流入したときでも、排水の流れ方向は、他の斜め流入管部３０に向かう方向とは別の方向に変えられる。或いは、他の斜め流入管部３０に向かう排水の勢いが低減される。第２連結部は、第１連結部の前方側の端縁から外側に屈曲して斜め流入管部３０の内部に真っ直ぐ向かう平板上に形成される。このような第１連結部５０ａおよび第２連結部５０bを介して、背面部４８と側壁１６とが連結される。上面部５２は、平板状に形成され、背面部４８、第１連結部５０ａ、および第２連結部５０ｂの上方を覆うように設けられる。
【００７７】
また、越流防止部３２は、側壁１６の後端１６ａよりも外方（後方）に突出する突出部３６を有する。突出部３６の突出長さ、つまり側壁１６の後端１６ａから背面部４８までの距離は、たとえば５０ｍｍである。
【００７８】
なお、一方の斜め流入管部３０と、他の斜め流入管部３０との流入口３０ａをずらす所定寸法については、図９を参照して説明した上述の実施例と同様に規定される。
【００７９】
図１３に示す実施例においても、上述の各実施例と同様に、ます本体１２の側壁１６に越流防止部３２を設けたので、一方の斜め流入管部３０から他の斜め流入管部３０への排水の越流が適切に防止され、排水は流出管部２４からスムーズに排出される。
【００８０】
また、他方の斜め流入管部３０の管路をます本体内にそのまま直線的に延長したと仮定した場合に、その延長した管路の範囲ｘ内にもう一方の斜め流入管部３０の流入口３０ａが入らないように所定寸法ずらすようにしたので、一方の斜め流入管部３０からの排水が他方の斜め流入管部３０の内部へと直接向かうことが防止され、排水の越流を適切に防止できる。
【００８１】
なお、上述の各実施例では、越流防止部３２に衝突平面３４を設けるようにしたが、衝突平面３４は必ずしも設ける必要はない。たとえば、図１４に示すように、越流防止部３２の背面部４８の内側面を略円弧状に形成してもよい。
【００８２】
図１４に示す実施例では、越流防止部３２は、背面部４８、連結部５０、および上面部５２を含み、平面視において前後方向（奥行き方向）に長い略円弧状に形成される。越流防止部３２を略円弧状にしつつも、奥行き方向に長く形成することで、越流防止部３２内を横方向に回り込む水の勢いは低減される。このような越流防止部３２と側壁１６とによって、ます本体１２は平面視略楕円形の形状とされる。具体的には、背面部４８は、円弧状に湾曲する曲板状に形成され、ます本体１２の背面位置に設けられる。連結部５０は、背面部４８の両端縁から前方に向かって延びる平板状に形成され、背面部４８と側壁１６とを連結する。連結部５０、つまり越流防止部３２の斜め流入管部３０との境界付近の部分の内側面は、前方に向かって真っ直ぐ延びるように形成され、その内側面は、斜め流入管部３０の内部には向かわないようにされる。これによって、一方の斜め流入管部３０からます本体１２内に勢いのある排水が流入したときでも、排水の流れ方向は、他の斜め流入管部３０に向かう方向とは別の方向に変えられる。或いは、他の斜め流入管部３０に向かう排水の勢いが低減される。上面部５２は、平板状に形成され、背面部４８および連結部５０の上方を覆うように設けられる。
【００８３】
また、越流防止部３２は、側壁１６の後端１６ａよりも外方（後方）に突出する突出部３６を有する。突出部３６の突出長さ、つまり側壁１６の後端１６ａから背面部４８の後端４８ａまでの距離は、たとえば５５ｍｍである。
【００８４】
なお、一方の斜め流入管部３０と、他の斜め流入管部３０との流入口３０ａをずらす所定寸法については、図９を参照して説明した上述の実施例と同様に規定される。
【００８５】
図１４に示す実施例においても、上述の各実施例と同様に、ます本体１２の側壁１６に越流防止部３２を設けたので、一方の斜め流入管部３０から他の斜め流入管部３０への排水の越流が適切に防止され、排水は流出管部２４からスムーズに排出される。
【００８６】
また、他方の斜め流入管部３０の管路をます本体内にそのまま直線的に延長したと仮定した場合に、その延長した管路の範囲ｘ内にもう一方の斜め流入管部３０の流入口３０ａが入らないように所定寸法ずらすようにしたので、一方の斜め流入管部３０からの排水が他方の斜め流入管部３０の内部へと直接向かうことが防止され、排水の越流を適切に防止できる。
【００８７】
なお、上述の各実施例では、２つの斜め流入管部３０の間に１つの中央流入管部２６を設けるようにしたが、これに限定される必要はなく、２つ以上の中央流入管部２６を設けることもできるし、中央流入管部２６を設けなくてもよい。
【００８８】
また、上述の各実施例では、２つの斜め流入管部３０の管軸が互いに略９０°の角度で交わるようにしたが、１８０°未満の角度であればこれに限定されない。要するに、斜め流入管部３０の流入口３０ａどうしが正面から向かい合わないのであればよい。
【００８９】
さらに、上述の各実施例では、流出管部２４は、底壁部２２の中心部分の下側から鉛直方向に延びるように設けるようにしたが、図１５に示すように、流出管部２４は、たとえば、鉛直方向に対して略４５°傾くように設けてもよい。
【００９０】
また、蓋１４には、通気孔を設けるようにしてもよい。その際には、蓋１４とは別体として形成される一方通気弁を用意し、蓋１４の内筒部３８の内部に取り付けるようにする。
【００９１】
さらに、上述の実施例では、合流ます１０をドロップますとしたが、側方（横方向）へ排水を流出する合流ますにしてもよい。この場合には、たとえば、越流防止部３２の下部であって各流入管部２６，３０が設けられる高さ位置よりも低い位置に、流出管部２４を設けると良い。ただし、各流入管部２６，３０と流出管部２４との高低差を確保するために、ドロップますとした場合と比較して、ます本体１２の高さを高くする必要がある。
【００９２】
なお、上述した寸法の具体的数値は、いずれも単なる一例であり、必要に応じて適宜変更可能である。
【符号の説明】
【００９３】
１０  …合流ます
１２  …ます本体
１４  …蓋
１６  …側壁
２４  …流出管部
２６  …中央流入管部
３０  …斜め流入管部
３２  …越流防止部
３４  …衝突平面
３６  …突出部
【図１】
0006397260.tif 000002
【図２】
0006397260.tif 000003
【図３】
0006397260.tif 000004
【図４】
0006397260.tif 000005
【図５】
0006397260.tif 000006
【図６】
0006397260.tif 000007
【図７】
0006397260.tif 000008
【図８】
0006397260.tif 000009
【図９】
0006397260.tif 000010
【図１０】
0006397260.tif 000011
【図１１】
0006397260.tif 000012
【図１２】
0006397260.tif 000013
【図１３】
0006397260.tif 000014
【図１４】
0006397260.tif 000015
【図１５】
0006397260.tif 000016
【図１６】
0006397260.tif 000017